(57)【要約】【課題】デザイン性に優れ、曜日を容易に把握できる時計を提供する。【解決手段】時計は、一日毎に所定角度回転する曜板と、この曜板の上に配置され、窓部２１Ａ〜２１Ｄが形成された文字板２とを備えている。曜板は、窓部２１Ａ〜２１Ｄから表示可能な複数のパターンが設定され、当該所定角度回転する毎に窓部２１Ａ〜２１Ｄに表示されるパターンの組み合わせが７種類となるように構成されている。このため、窓部２１Ａ〜２１Ｄに表示されるパターンの組み合わせにより曜日（月曜日〜日曜日の７種類の曜日）を表示できる。【選択図】図４
2012083148.tif 000002
【特許請求の範囲】
【請求項１】
一日毎に所定角度回転する曜板と、
前記曜板の上に配置され、複数の窓部が形成された文字板とを備え、
前記曜板は、
前記窓部から表示可能な複数のパターンが設定され、前記所定角度回転する毎に前記複数の窓部に表示される前記パターンの組み合わせが７種類となるように構成されている
ことを特徴とする時計。
【請求項２】
請求項１に記載の時計において、
前記曜板は、一日毎に１／７回転して７日で１回転し、
前記複数のパターンは、第１パターンおよび第２パターンの２つのパターンで構成され、
前記第１パターンは、前記曜板を回転方向に７等分したうちの隣接する４つの領域内に形成され、
前記第２パターンは、残りの隣接する３つの領域内に形成されており、
前記窓部は、前記曜板の回転方向に沿って４つ形成され、かつ、前記曜板を回転方向に７等分したうちの隣接する４つの領域内に形成された各パターンと重なる位置に形成されている
ことを特徴とする時計。
【請求項３】
請求項２に記載の時計において、
前記第１パターンは、前記曜板の板面を赤色に形成した赤色部であり、
前記第２パターンは、前記曜板の板面を黒色に形成した黒色部である
ことを特徴とする時計。
【請求項４】
請求項１に記載の時計において、
前記曜板は、一日毎に１／７回転して７日で１回転し、
前記複数のパターンは、第１パターン、第２パターンおよび第３パターンの３つのパターンで構成され、
前記第１パターンは、前記曜板を回転方向に７等分したうちの隣接する３つの領域内に形成され、
前記第２パターンは、他の隣接する３つの領域内に形成され、
前記第３パターンは、残りの１つの領域内に形成されており、
前記窓部は、前記曜板の回転方向に沿って３つ形成され、かつ、前記曜板を回転方向に７等分したうちの隣接する３つの領域内に形成された各パターンと重なる位置に形成されている
ことを特徴とする時計。
【発明の詳細な説明】
【技術分野】
【０００１】
本発明は、時計に関する。
【背景技術】
【０００２】
従来、時刻表示を行うだけでなく、曜日表示も行う時計が知られている（例えば、特許文献１〜３参照）。
特許文献１に記載の時計は、時計の文字板に窓部（表示窓）を設け、この窓部から、文字板の下に配置した曜板（曜車）の一部を覗く構成とすることで、曜板に付された「日」、「月」…「土」等の文字による曜日を表示している。
特許文献２に記載の時計は、時計の文字板に窓部（曜日部窓）を設け、この窓部の周囲に付された文字による曜日を、文字板の下に配置された曜板（曜車）に付された曜日指示表示（具体的には、三角形状の図形）によって、指し示すことで曜日を表示している。
特許文献３に記載の時計は、時計の文字板に窓部（表示部）を設け、この窓部の周囲に付された文字による曜日を、回転移動する曜針で指し示すことで曜日を表示している。
【先行技術文献】
【特許文献】
【０００３】
【特許文献１】実開昭４９−６７６５８号公報
【特許文献２】特開平４−３２８４８９号公報
【特許文献３】特開２００６−２５８４３７号公報
【発明の概要】
【発明が解決しようとする課題】
【０００４】
しかしながら、従来の時計は、曜日を文字で表現していたため、デザインの自由度が低い、という問題があった。また、曜日を漢字やアルファベットで表示すると、外国人、子供等のその文字を知らない者は曜日を容易に把握できない、という問題があった。
【０００５】
本発明の目的は、デザイン性に優れ、曜日を容易に把握できる時計を提供することにある。
【課題を解決するための手段】
【０００６】
本発明の時計は、一日毎に所定角度回転する曜板と、前記曜板の上に配置され、複数の窓部が形成された文字板とを備え、前記曜板は、前記窓部から表示可能な複数のパターンが設定され、前記所定角度回転する毎に前記複数の窓部に表示される前記パターンの組み合わせが７種類となるように構成されていることを特徴とする。
【０００７】
ここで、前記複数のパターンとしては、曜板の板面の色や模様が互いに異なるものであればよく、要するに時計の利用者が異なるパターンとして認識できればよい。また、色が異なるとは、色相、明度、彩度のいずれかが相違し、利用者が視認した際に、色が異なると区別して認識できるものであればよく、特に、赤や黒などの色相が異なるものが好ましい。
また、パターンの組み合わせとは、窓部に表示される色等のパターンの種類と、どの窓部から表示されているのかつまり表示位置とで特定されるものである。
本発明によれば、一日毎に曜板が所定角度回転した際に、複数の窓部を介して視認されるパターンの組み合わせが７種類となるように構成している。このため、複数の窓部に表示されるパターンの組み合わせにより曜日を表示できる。
【０００８】
このように、文字により曜日を表示するのではなく、パターンの組み合わせによって曜日を表示できるので、文字により曜日を表示する場合と比較して、デザインの自由度を高めてデザイン性に優れた時計とすることができる。また、曜日をパターンの組み合わせで表示するため、漢字表示やアルファベット表示では曜日を理解できない利用者であっても曜日を容易に把握できる。
【０００９】
本発明の時計では、前記曜板は、一日毎に１／７回転して７日で１回転し、前記複数のパターンは、第１パターンおよび第２パターンの２つのパターンで構成され、前記第１パターンは、前記曜板を回転方向に７等分したうちの隣接する４つの領域内に形成され、前記第２パターンは、残りの隣接する３つの領域内に形成されており、前記窓部は、前記曜板の回転方向に沿って４つ形成され、かつ、前記曜板を回転方向に７等分したうちの隣接する４つの領域内に形成された各パターンと重なる位置に形成されていることが好ましい。
【００１０】
本発明によれば、曜板を回転方向（周方向）に７等分したうちの隣接する４つの領域内に第１パターンが形成され、残りの隣接する３つの領域内に第２パターンが形成されている。また、窓部は、曜板の回転方向に沿って形成され、曜板を回転方向に７等分したうちの隣接する４つの領域内に形成された各パターンと重なる位置に形成されている。これにより、４つの窓部に表示されるパターンの組み合わせは、曜板が１／７回転する毎に切り替わる。そして、このパターンの組み合わせは、７種類となる。
【００１１】
これにより、各パターンの組み合わせに曜日を割り当てることで、曜日をパターンの組み合わせで表示できる。また、曜板には、色などが異なる２種類のパターンを形成すればよいので、３種類以上のパターンを形成する場合に比べて容易に曜板を製造できる。さらに、２種類のパターンの組み合わせで曜日を表示するので、シンプルなデザインとすることができ、曜日の把握を分かり易くできる。また、４つの各窓部を曜板の回転方向に沿って形成しており、各窓部は曜板の回転方向に３６０度／７（約５１．４度）の間隔で形成できるので、各窓部を比較的離して配置できる。このため、各窓部を文字板に大きく形成でき、曜日の表示を見易くできる。
【００１２】
本発明の時計では、前記第１パターンは、前記曜板の板面を赤色に形成した赤色部であり、前記第２パターンは、前記曜板の板面を黒色に形成した黒色部であることが好ましい。
【００１３】
本発明では、４つの窓部に表示される色の組み合わせは、「赤、赤、赤、赤」、「黒、赤、赤、赤」、「黒、黒、赤、赤」、「黒、黒、黒、赤」、「赤、黒、黒、黒」、「赤、赤、黒、黒」および「赤、赤、赤、黒」の７種類となる。そして、これら７種類の色の組み合わせは、曜板が１／７回転する毎に、順次切り替わる。なお、４つの窓部には、７日毎、つまり１週間毎に同じパターンの組み合わせが表示される。したがって、色の組み合せに曜日を割り当てることで、曜日の表示が可能となる。
【００１４】
ここで、一般的なカレンダーでは日曜日は赤色で表記されていることが多い。
本発明では、窓部に表示される色が全て赤色である状態（４つの窓部に表示される色の組み合わせが「赤、赤、赤、赤」である状態）を日曜日に設定することができる。この場合、利用者は、日曜日であることを直感的に認識できる。
また、月曜日から水曜日にかけて、曜板が１／７回転する毎に、順次、４つの窓部に表示される黒色が１個ずつ増えていく。このため、４つの窓部に表示される黒色の数によって、平日の何日目であるかを容易に把握できる。例えば、黒色が１個である場合には、平日の１日目である月曜日であり、黒色が２個である場合には火曜日であり、黒色が３個である場合には水曜日であることを把握できる。
さらに、木曜日から日曜日にかけて、曜板が１／７回転する毎に、順次、４つの窓部に表示される黒色が１個ずつ減っていく。このため、４つの窓部に表示される黒色の数によって、日曜日まであと何日であるかを容易に把握できる。例えば、黒色が３個である場合には、日曜日まであと３日の木曜日であり、黒色が２個である場合には金曜日であり、黒色が３個である場合には土曜日であることを把握できる。
【００１５】
本発明の時計では、前記曜板は、一日毎に１／７回転して７日で１回転し、前記複数のパターンは、第１パターン、第２パターンおよび第３パターンの３つのパターンで構成され、前記第１パターンは、前記曜板を回転方向に７等分したうちの隣接する３つの領域内に形成され、前記第２パターンは、他の隣接する３つの領域内に形成され、前記第３パターンは、残りの１つの領域内に形成されており、前記窓部は、前記曜板の回転方向に沿って３つ形成され、かつ、前記曜板を回転方向に７等分したうちの隣接する３つの領域内に形成された各パターンと重なる位置に形成されていることが好ましい。
【００１６】
本発明によれば、曜板を回転方向（周方向）に７等分したうちの隣接する３つの領域内に第１パターンが形成されている。そして、第２パターンは、他の隣接する３つの領域内に形成され、第３パターンは、残りの１つの領域内に形成されている。また、窓部は、曜板の回転方向に沿って形成され、曜板を回転方向に７等分したうちの隣接する３つの領域内に形成された各パターンと重なる位置に形成されている。これにより、３つの窓部に表示されるパターンの組み合わせは、曜板が１／７回転する毎に切り替わる。そして、このパターンの組み合わせは、７種類となる。
【００１７】
例えば、第１パターンが赤色、第２パターンが黒色、第３パターンが青色であり、赤色が隣接する３つの領域、黒色が他の隣接する３つの領域、青色が残りの１つの領域に形成されているとする。この場合、３つの窓部に表示される色の組み合わせは、「赤、赤、赤」、「黒、赤、赤」、「黒、黒、赤」、「黒、黒、黒」、「青、黒、黒」、「赤、青、黒」および「赤、赤、青」の７種類となる。そして、これら７種類の色の組み合わせは、曜板が１／７回転する毎に、順次切り替わる。なお、３つの窓部には、７日毎、つまり１週間毎に同じパターンの組み合わせが表示される。
【００１８】
これにより、各パターンの組み合わせに曜日を割り当てることで、曜日をパターンの組み合わせで表示できる。また、３つの各窓部を曜板の回転方向に沿って形成しており、各窓部は曜板の回転方向に３６０度／７（約５１．４度）の間隔で形成できるので、各窓部を比較的離して配置できる。このため、各窓部を文字板に大きく形成でき、曜日の表示を見易くできる。さらに、３つの窓部でパターンの組み合わせを表示するため、４つの窓部で表示する場合と比較して、文字板における窓部が占める範囲（曜板の回転方向における範囲）を小さくでき、窓部の形成による文字板への影響を小さくできるので、文字板のデザイン性をさらに向上できる。
【図面の簡単な説明】
【００１９】
【図１】第１実施形態における時計を示す外観図。
【図２】前記実施形態における曜板を示す平面図。
【図３】前記実施形態における各曜日と色の組み合わせとの対応関係を示す図。
【図４】前記実施形態における時計の動作を説明する図。
【図５】第２実施形態における曜板を示す平面図。
【図６】前記実施形態における各曜日と色の組み合わせとの対応関係を示す図。
【図７】第３実施形態における時計の主要部を示す平面図。
【図８】前記実施形態における曜板を示す平面図。
【発明を実施するための形態】
【００２０】
[第１実施形態]
以下、本発明の第１実施形態を図面に基づいて説明する。
〔時計の全体構成〕
時計１は、指針（時分秒針）による時間の表示、日板による日付の表示および曜板３（図２）による曜日の表示を行う機能を備えた腕時計である。なお、文字板２および曜板３以外の構成、すなわち、指針および日板と、これらを駆動するムーブメントは、腕時計の一般的な構成であるため、具体的な説明は省略する。
【００２１】
〔文字板の構成〕
文字板２は、円板状に構成されており、板面には、窓部２１Ａ〜２１Ｄが形成されている。なお、文字板２には、この窓部２１Ａ〜２１Ｄの他、曜板３に表示された曜日を示すアルファベット１文字（英語表示の曜日の頭文字）を表示する開口部２２と、日板に表示された日付を示す数字を表示する開口部２３と、指針による時刻表示用の目盛が形成されている。
【００２２】
窓部２１Ａ〜２１Ｄは、文字板２の下側に配置される曜板３の上面の一部を視認できる構成を有している。具体的に、窓部２１Ａ〜２１Ｄは、文字板２に開口を設けることで形成される。
窓部２１Ａ〜２１Ｄは、パターンとしての色によって曜日を表示する部分である。各窓部２１Ａ〜２１Ｄは、文字板２の中央部（図２に示す曜板３の回転軸Ａ）を中心とする回転方向（周方向）に沿うように文字板２に形成されている。詳述すると、窓部２１Ａ〜２１Ｄは、時計回りで窓部２１Ａから窓部２１Ｄの順に並ぶように均等な間隔で形成されている。
【００２３】
具体的には、窓部２１Ａの中心と回転軸Ａとを結ぶ線と、窓部２１Ｂの中心と回転軸Ａとを結ぶ線とが成す角度が、３６０度／７＝約５１．４度となっている。同様に、窓部２１Ｂの中心と回転軸Ａとを結ぶ線と、窓部２１Ｃの中心と回転軸Ａとを結ぶ線とが成す角度、窓部２１Ｃの中心と回転軸Ａとを結ぶ線と、窓部２１Ｄの中心と回転軸Ａとを結ぶ線とが成す角度も、それぞれ３６０度／７＝約５１．４度となっている。なお、窓部２１Ｃは、回転軸Ａと１２時を示す位置（図１中、「６０」と付された位置）とを結ぶ線上に形成されている。
【００２４】
〔曜板の構成〕
図２は、曜板３を示す平面図である。
曜板３は、各窓部２１Ａ〜２１Ｄに色を表示させるためのものであり、時計１において文字板２の下側に配置されている。この曜板３は、円板状に構成されており、ムーブメントが有する曜送り機構によって、曜板３の中央部に位置する回転軸Ａを中心として、一日毎に１／７回転する。つまり、１週間で１回転する。
【００２５】
この曜板３は、上面に、文字部３１と、彩色部３２とを備える。
文字部３１は、前述した開口部２２に表示するアルファベット１文字が付された部分である。文字部３１は、曜板３の回転方向に沿って均等間隔に７つ形成されており、各文字部３１には、各曜日を表す文字（「Ｓ」，「Ｍ」等）が付されている。
【００２６】
具体的には、月曜日を示す「Ｍ」の文字が付された文字部３１の中心と回転軸Ａとを結ぶ線と、その文字部３１に隣接する火曜日を示す「Ｔ」の文字が付された文字部３１の中心と回転軸Ａとを結ぶ線とが成す角度が、３６０度／７＝約５１．４度となっている。他の隣接する文字部３１間における角度も、同様に、３６０度／７＝約５１．４度となっている。
【００２７】
なお、図２中の右下に位置する文字部３１（塗り潰しの「Ｓ」が付された文字部３１）は、開口部２２に重なる位置に配置されている。ここで、図２の各文字部３１中、ドットで表示した文字（Ｓ）は、赤色となっていることを示し、塗り潰しで表示した文字は、黒色となっていることを示している。図１および図４についても同様である。なお、図１に示した例では、塗り潰し（黒色）の「Ｓ」を開口部２２に表示することで、土曜日を示している。
【００２８】
彩色部３２は、曜板３において、窓部２１Ａ〜２１Ｄから表示可能な２つの色を設定するためのものである。この彩色部３２は、第１パターンとしての赤色に形成された赤色部３２Ａと、第２パターンとしての黒色に形成された黒色部３２Ｂとで構成されている。なお、図２の彩色部３２中、ドットで表示した部分は、赤色となっていることを示し、塗り潰しで表示した部分は、黒色となっていることを示している。図１および図４についても同様である。
赤色部３２Ａは、曜板３を回転方向に７等分したうちの隣接する４つの領域に形成されている。なお、１つの領域は、中心角α（図２）が３６０度／７＝約５１．４度の扇形状である。つまり、赤色部３２Ａは、（３６０度／７）×４＝約２０５．７度の中心角を有する扇形状に形成されている。
また、黒色部３２Ｂは、残りの隣接する３つの領域に形成されている。つまり、黒色部３２Ｂは、（３６０度／７）×３＝約１５４．３度の中心角を有する扇形状に形成されている。
なお、図２に示す二点鎖線は、窓部２１Ａ〜２１Ｄの位置を示している。つまり、各窓部２１Ａ〜２１Ｄは、前述したように曜板３を回転方向に７等分したうちの隣接する４つの領域と重なる位置にそれぞれ形成されている。
【００２９】
以上のような構成によって、時計１は、開口部２２に表示される文字だけでなく、窓部２１Ａ〜２１Ｄに表示される色と、各窓部２１Ａ〜２１Ｄのいずれに表示されているかという表示位置とによって曜日を表示する。つまり、各窓部２１Ａ〜２１Ｄに表示される色（赤色と黒色）の組み合わせによって各曜日を表示する。
【００３０】
図３は、各曜日と色の組み合わせとの対応関係を示す図である。
図３中の右欄は、左欄の各曜日において窓部２１Ａ〜２１Ｄに表示される色を示している。なお、右欄では左から順に、窓部２１Ａ〜２１Ｄに表示される色を示している。つまり、月曜日の場合には、「黒、赤、赤、赤（左から順に窓部２１Ａ〜２１Ｄの表示色を示す。以下、同じ。）」が表示される。同様に、火曜日の場合には、「黒、黒、赤、赤」が表示され、水曜日の場合には、「黒、黒、黒、赤」が表示され、木曜日の場合には、「赤、黒、黒、黒」が表示される。また、金曜日の場合には、「赤、赤、黒、黒」が表示され、土曜日の場合には、「赤、赤、赤、黒」が表示され、日曜日の場合には、「赤、赤、赤、赤」が表示される。このように、曜板３は、窓部２１Ａ〜２１Ｄに表示される色（パターン）の組み合わせが７種類となるように構成されている。
【００３１】
〔時計の動作〕
図４は、時計１の動作を説明する図である。
月曜日の場合には、前述したように、時計１の窓部２１Ａ〜２１Ｄには、月曜日を示す色の組み合わせである「黒、赤、赤、赤」が表示される。なお、開口部２２には、「Ｍ」という文字により月曜日である旨の表示がされている。また、開口部２３には、「１」という数字によって、日付が表示されている。
【００３２】
そして、日付が変更する午前０時を経過した際に、ムーブメントによって曜板３が時計回りに１／７回転する。これにより、窓部２１Ａ〜２１Ｄの表示は、火曜日を示す色の組み合わせ（「黒、黒、赤、赤」）に切り替わる。そして、火曜日から水曜日、水曜日から木曜日、…、土曜日から日曜日への各日付の切り替わりにおいても同様に、各曜日に対応する色の組み合わせに切り替わる。なお、曜板３は、一日に１／７回転するため、窓部２１Ａ〜２１Ｄには、７日毎、つまり１週間毎に同じ色の組み合わせが表示される。なお、開口部２２，２３の表示も一日毎に順次切り替わる。
【００３３】
このような本実施形態によれば、次のような作用効果を奏する。
一日毎に曜板３が１／７回転した際に、窓部２１Ａ〜２１Ｄを介して視認される色の組み合わせ（各窓部２１Ａ〜２１Ｄに表示される色の組み合わせ）が７種類となるように構成されている。このため、窓部２１Ａ〜２１Ｄに表示される色の組み合わせにより曜日を表示できる。
【００３４】
このように、文字により曜日を表示するのではなく、色の組み合わせによって曜日を表示できるので、文字により曜日を表示する場合と比較して、デザインの自由度を高めてデザイン性に優れた時計１とすることができる。また、曜日を色の組み合わせで表示するため、漢字表示やアルファベット表示では曜日を理解できない利用者であっても曜日を容易に把握できる。
【００３５】
また、曜板３は、赤色と黒色の２色で形成すればよいので、３色以上で形成する場合に比べて容易に製造できる。さらに、赤色と黒色の２色の組み合わせで曜日を表示するので、シンプルなデザインとすることができ、曜日の把握を分かり易くできる。また、４つの各窓部２１Ａ〜２１Ｄを曜板３の回転方向に沿って形成しており、各窓部２１Ａ〜２１Ｄは曜板３の回転方向に３６０／７度（約５１．４度）の間隔で形成しているので、各窓部２１Ａ〜２１Ｄを比較的離して配置できる。このため、各窓部２１Ａ〜２１Ｄを文字板２に大きく形成でき、曜日の表示を見易くできる。
【００３６】
さらに、図３に示すように、窓部２１Ａ〜２１Ｄの全てが赤色である場合を、日曜日と設定している。このため、利用者は、日曜日であることを直感的に認識できる。
また、図３に示すように、月曜日から水曜日にかけて、曜板３が１／７回転する毎に、順次、曜板３の回転の上流側の窓部２１Ａから順に黒色に変化し、窓部２１Ａ〜２１Ｄに表示される黒色が１個ずつ増えていく設定となっている。このため、窓部２１Ａ〜２１Ｄに表示される黒色の数によって、平日の何日目であるか、つまり曜日を容易に把握できる。例えば、月曜日を示す色の組み合わせの場合には、窓部２１Ａに１個だけ黒色が表示されるため、平日の１日目、つまり月曜日であることを認識できる。同様に、窓部２１Ａ，２１Ｂにそれぞれ黒色が表示（計２個表示）されると、平日の２日目である火曜日であることを認識できる。窓部２１Ａ，２１Ｂ，２１Ｃにそれぞれ黒色が表示（計３個表示）されると、平日の３日目である水曜日であることを認識できる。
さらに、木曜日から日曜日にかけて、曜板３が１／７回転する毎に、順次、曜板３の回転の上流側の窓部２１Ａから順に赤色に変化し、窓部２１Ａ〜２１Ｄに表示される黒色が１個ずつ減っていく設定となっている。このため、窓部２１Ａ〜２１Ｄに表示される黒色の数によって、日曜日まであと何日であるか、つまり曜日を容易に把握できる。例えば、木曜日を示す色の組み合わせの場合には、窓部２１Ｂ，２１Ｃ，２１Ｄにそれぞれ黒色が表示（計３個表示）されるため、日曜日まであと３日、つまり木曜日であることを認識できる。同様に、窓部２１Ｃ，２１Ｄにそれぞれ黒色が表示（計２個表示）されると、日曜日まであと２日である金曜日であることを認識できる。窓部２１Ｄに１個だけ黒色が表示されると、日曜日まであと１日である土曜日であることを認識できる。
【００３７】
また、曜板３を回転方向に７等分したうちの隣接する４つの領域の全域に赤色部３２Ａを形成し、他の隣接する３つの領域の全域に黒色部３２Ｂを形成しているため、赤色部３２Ａと黒色部３２Ｂの形成が容易であり、曜板３の製造を容易にできる。また、赤色部３２Ａおよび黒色部３２Ｂが大きく形成されるので、窓部２１Ａ〜２１Ｄの位置合わせが容易となる。
【００３８】
[第２実施形態]
次に、本発明の第２実施形態を図面に基づいて説明する。
本実施形態では、曜板の構成及び窓部の数のみが第１実施形態とは相違し、他の構成は、第１実施形態と同一である。なお、以下の説明では、前述の第１実施形態と同様の構造及び同一部材には同一符号を付して、その詳細な説明は省略または簡略化する。
【００３９】
図５は、本実施形態における曜板３Ａを示す平面図である。
曜板３Ａは、彩色部３３が、第１パターンとしての赤色に形成された赤色部３３Ａと、第２パターンとしての黒色に形成された黒色部３３Ｂと、第３パターンとしての青色に形成された青色部３３Ｃとで構成されている。ここで、図５の彩色部３３中、密度の低いドット（薄色）で表示した部分は、赤色となっていることを示し、塗り潰しで表示した部分は、黒色となっていることを示し、密度の高いドット（濃色）で表示した部分は、青色となっていることを示している。なお、後述する第３実施形態における図７，８の彩色部３４についても同様である。
【００４０】
赤色部３３Ａおよび黒色部３３Ｂは、曜板３Ａを前述した第１実施形態と同様に区分した領域における隣接する３つの領域にそれぞれ形成され、青色部３３Ｃは、残りの赤色部３３Ａおよび黒色部３３Ｂの間の１つの領域に形成されている。
つまり、赤色部３３Ａおよび黒色部３３Ｂは、（３６０度／７）×３＝約１５４．３度の中心角を有する扇形状に形成され、青色部３３Ｃは、（３６０度／７）＝約５１．４度の中心角の扇形状に形成されている。
【００４１】
なお、本実施形態の時計の文字板には、図５の二点鎖線に示すように、３つの窓部２１Ｂ〜２１Ｄが形成されている。つまり、第１実施形態では、文字板２に、４つの窓部２１Ａ〜２１Ｄが形成されていたが、本実施形態の時計の文字板には、図１に示す窓部２１Ａが形成されていない。
そして、この本実施形態の時計では、前述した第１実施形態の時計１と同様、曜板３Ａが一日毎に１／７回転することで、窓部２１Ｂ〜２１Ｄに表示される色の組み合わせが切り替わる。
【００４２】
図６は、本実施形態における各曜日と色の組み合わせとの対応関係を示す図である。なお、図６中の右欄は、左から順に、窓部２１Ｂ〜２１Ｄに表示される色を示している。
つまり、月曜日の場合には、「黒、赤、赤（左から順に窓部２１Ｂ〜２１Ｄの表示色を示す。以下、同じ。）」が表示される。同様に、火曜日の場合には、「黒、黒、赤」が表示され、水曜日の場合には、「黒、黒、黒」が表示され、木曜日の場合には、「青、黒、黒」が表示される。また、金曜日の場合には、「赤、青、黒」が表示され、土曜日の場合には、「赤、赤、青」が表示され、日曜日の場合には、「赤、赤、赤」が表示される。なお、曜板３Ａは、一日に１／７回転するため、窓部２１Ｂ〜２１Ｄには、７日毎、つまり１週間毎に同じ色の組み合わせが表示される。
【００４３】
このような第２実施形態によれば、前述の第１実施形態と同様の作用効果を奏する他に、以下の作用効果を奏する。
３つの窓部２１Ｂ〜２１Ｄで色の組み合わせを表示するため、４つの窓部２１Ａ〜２１Ｄで表示する第１実施形態の場合と比較して、文字板における窓部２１Ｂ〜２１Ｄが占める範囲（曜板３Ｂの回転方向における範囲）を小さくでき、窓部２１Ｂ〜２１Ｄの形成による文字板への影響を小さくできるので、文字板のデザイン性をさらに向上できる。
【００４４】
また、図６に示すように、月曜日から水曜日にかけて、曜板３Ｂが１／７回転する毎に、順次、曜板３Ｂの回転の上流側の窓部２１Ｂから順に、窓部２１Ｂ〜２１Ｄに表示される黒色が１個ずつ増えていく設定となっている。このため、窓部２１Ｂ〜２１Ｄに表示される黒色の数によって、平日の何日目であるか、つまり曜日を容易に把握できる。
さらに、木曜日から土曜日にかけて、曜板３Ｂが１／７回転する毎に、順次、曜板３Ｂの回転の上流側の窓部２１Ｂから順に、青色が表示される設定となっている。このため、窓部２１Ｂ〜２１Ｄに表示される青色の位置によって、日曜日まであと何日であるか、つまり曜日を容易に把握できる。
【００４５】
[第３実施形態]
次に、本発明の第３実施形態を図面に基づいて説明する。
本実施形態では、曜板の構成及び窓部を形成する位置が第２実施形態とは相違し、他の構成は、第２実施形態と同一である。
【００４６】
図７は、本実施形態における時計１Ｂの主要部を示す平面図である。また、図８は、本実施形態における曜板３Ｂを示す平面図である。
本実施形態の文字板２Ｂには、図７に示すように、３つの窓部２４Ｂ〜２４Ｄが文字板２Ｂの径方向に沿って形成されている。
【００４７】
そして、曜板３Ｂは、図８に示すように、彩色部３４が、第１パターンとしての赤色に形成された赤色部３４Ａと、第２パターンとしての黒色に形成された黒色部３４Ｂと、第３パターンとしての青色に形成された青色部３４Ｃとで構成されている。
彩色部３４は、曜板３Ｂを回転方向に７等分した各領域（３６０度／７＝約５１．４度の中心角の扇形状の領域）内に、曜板３Ｂの径方向に沿って３つ形成されている。各窓部２４Ｂ〜２４Ｄは、図８の二点鎖線に示すように、曜板３Ｂを回転方向に７等分したうちの１つの領域と重なる位置、具体的には、１つの領域における径方向に３つ形成された各彩色部３４と重なる位置にそれぞれ形成されている。
【００４８】
そして、本実施形態における各曜日と色の組み合わせとの対応関係は、前述した第２実施形態と同様（図６）に設定されており、曜板３Ｂは、一日に１／７回転するため、窓部２４Ｂ〜２４Ｄには、７日毎、つまり１週間毎に同じ色の組み合わせが表示される。
なお、本実施形態では、文字による曜日の表示は行わず、窓部２４Ｂ〜２４Ｄに表示される色の組み合わせのみで曜日を表示している。
【００４９】
このような第３実施形態によれば、前述の第２実施形態と同様の作用効果を奏する他に、以下の作用効果を奏する。
３つの窓部２４Ｂ〜２４Ｄを径方向に沿って形成し、かつ、曜板３Ｂを回転方向に７等分したうちの１つの領域と重なる位置に形成している。このため、窓部２４Ｂ〜２４Ｄを回転方向に沿って形成した第２実施形態の場合と比較して、文字板２Ｂにおける窓部２４Ｂ〜２４Ｄが曜板３Ｂの回転方向に占める範囲を格段に小さくでき、窓部２４Ｂ〜２４Ｄの形成による文字板２Ｂへの影響を小さくして、文字板２Ｂのデザイン性をより向上できる。
【００５０】
なお、本発明は前述の各実施形態に限定されるものではなく、本発明の目的を達成できる範囲での変形、改良等は本発明に含まれるものである。
例えば、前記第２実施形態では、第１パターン（赤色部）および第２パターン（黒色部）の２つを、隣接する３つの領域に形成し、第３パターン（青色部）を残りの１つの領域に形成したが、これに限らない。例えば、第１パターンを隣接する３つの領域に形成し、第２パターンを他の隣接する２つの領域に形成し、第３パターンを残りの隣接する２つの領域に形成してもよい。この場合、３つの窓部２１Ｂ〜２１Ｄに表示される色の組み合わせは、「赤、赤、赤」、「黒、赤、赤」、「黒、黒、赤」、「青、黒、黒」、「青、青、黒」、「赤、青、青」および「赤、赤、青」の７種類となる。
【００５１】
前記第１実施形態および第２実施形態では、曜板３，３Ａを回転方向に７等分したうちの隣接する領域の全てに彩色部３２，３３を形成したが、彩色部３２，３３は、当該領域の全てに形成することに限らず、少なくとも窓部から表示可能な領域内に形成されていればよい。
前記各実施形態では、第１パターンを赤色の赤色部３２Ａ，３３Ａ，３４Ａで構成し、第２パターンを黒色の黒色部３２Ｂ，３３Ｂ，３４Ｂで構成し、第３パターン（第２実施形態および第３実施形態）を青色の青色部３３Ｃ，３４Ｃで構成したが、各パターンを構成する色は、これに限らない。また、本発明におけるパターンは、時計の利用者が異なるパターンとして認識できるのであれば、色に限らず、模様や、色と模様を組み合わせたものであってもよい。但し、文字板が小さい腕時計では、窓部が小さいことを考慮して、識別力の高い「色」をパターンとし、色を異ならせて複数のパターンを構成することが好ましい。
【００５２】
前記第１実施形態では、パターンの数を２つ（第１パターンおよび第２パターン）とし、第２実施形態および第３実施形態では、パターンの数を３つ（第１〜第３パターン）としたが、パターンの数もこれに限定されず、例えば、４つ以上で構成してもよい。
前記第１実施形態では４つの窓部２１Ａ〜２１Ｄを文字板２に形成し、前記第２実施形態および第３実施形態では３つの窓部２１Ｂ〜２１Ｄ，２４Ｂ〜２４Ｄをそれぞれ文字板に形成したが、窓部の数は、これらに限定されない。例えば、窓部の数は、５以上であってもよい。
【００５３】
前記各実施形態では、１週間、すなわち７日で１回転（一日に１／７回転）する曜板３，３Ａ，３Ｂについて例示したが、これに限らない。例えば、曜板３，３Ａ，３Ｂは、７日で半回転（一日に１／１４回転）し、日曜日から月曜日に切り替わる際に、半回転して回転の開始位置を戻すような構成であってもよい。また、曜板３，３Ａ，３Ｂは、円板状に限らず、扇形状等で構成してもよく、さらに、文字板の中央部と曜板３，３Ａ，３Ｂの回転軸Ａとが、異なる位置となっていてもよい。さらに、曜板３，３Ａ，３Ｂの回転方向についても、時計回りに限らず、反時計回りであってもよい。
【００５４】
前記各実施形態では、窓部の形状として正円状のものを図示したが、各窓部の形状は、これに限定されない。例えば、前記第１実施形態および第２実施形態において、各窓部の構成を、曜板３，３Ａを回転方向に７等分して区分した領域に沿った扇形状としてもよい。また、前記各実施形態における各窓部は、全て同じ形状であることに限らず、例えば、ハートマーク、スペードマーク等を組み合わせて、窓部の形状自体をそれぞれ模様とする構成を採用してもよい。これにより、よりデザイン性を向上できる。
また、前記各実施形態では、本発明に係る時計として、腕時計タイプの時計を例示して説明したが、これに限らず、壁掛け時計等、他のタイプの時計であってもよい。
【符号の説明】
【００５５】
１…時計、２，２Ｂ…文字板、３，３Ａ，３Ｂ…曜板、２１Ａ〜２１Ｄ，２４Ｂ〜２４Ｄ…窓部、３２Ａ，３３Ａ，３４Ａ…赤色部（第１パターン）、３２Ｂ，３３Ｂ，３４Ｂ…黒色部（第２パターン）、３３Ｃ，３４Ｃ…青色部（第３パターン）。
【図１】
2012083148.tif 000003
【図２】
2012083148.tif 000004
【図３】
2012083148.tif 000005
【図４】
2012083148.tif 000006
【図５】
2012083148.tif 000007
【図６】
2012083148.tif 000008
【図７】
2012083148.tif 000009
【図８】
2012083148.tif 000010